(57)【要約】【課題】記録媒体に記録性を向上させるための処理剤を吐出する際に、より柔軟性の高い部分吐出を行う。【解決手段】さきがけ記録装置２０１は、記録媒体Ｐ上に記録される記録材の記録性を向上させるために記録媒体Ｐに処理剤を吐出する。記録媒体Ｐの記録可能領域内の記録像により決まる部分領域に対して処理剤を吐出して、処理剤が吐出される部分と吐出されない部分とを形成する動作モードを有する。ユーザは、この動作モードを選択する際、部分領域の大きさを可変設定することができる。さきがけ記録装置２０１は記録装置２０２〜２０７と独立した構成とされ、処理剤を吐出する場合にも記録装置２０２〜２０７の記録ヘッドに対する記録データがない場合には当該記録ヘッドのキャッピング状態を維持する。【選択図】図１
2007125843.tif 000002
【特許請求の範囲】
【請求項１】
記録媒体上に処理剤を吐出する処理剤吐出手段と、
記録媒体の記録可能領域内の記録像により決まる部分領域に対して前記処理剤を吐出して、前記処理剤が吐出される部分と吐出されない部分とを形成する制御手段と、
前記部分領域の大きさをユーザが可変設定する可変設定手段と
を備えたことを特徴とする記録システム。
【請求項２】
前記可変設定手段は、記録されるドット群により定まる領域に対してその領域の周囲に、ユーザにより指定された量だけ当該領域を拡大した拡大領域を定めることを特徴とする請求項１記載の記録システム。
【請求項３】
前記領域の拡大は記録幅方向と記録長さ方向の両方に共通に適用することを特徴とする請求項２記載の記録システム。
【請求項４】
前記領域の拡大は記録幅方向と記録長さ方向に別個に適用することを特徴とする請求項２記載の記録システム。
【請求項５】
前記制御手段は、記録可能領域の全体に前記処理剤を吐出する第１の動作モードと、前記記録可能領域の一部に前記処理剤を吐出する第２の動作モードと、前記記録可能領域に前記処理剤を吐出しない第３の動作モードとを有することを特徴とする請求項１記載の記録システム。
【請求項６】
複数の記録装置を用いて１枚の記録媒体に記録を行う記録システムであって、
記録媒体の異なる幅部分の印刷を分担する複数の記録装置と、
前記複数の記録装置に対して、記録媒体の搬送方向上流または下流に配置され、記録媒体上に処理剤を吐出する処理剤吐出用の１台の記録装置と
を備えたことを特徴とする記録システム。
【請求項７】
前記複数の記録装置は、それぞれ独立したインクジェット記録ヘッドと、各インクジェット記録ヘッドのキャッピングを行うキャッピング手段とを備え、各記録装置は、印刷データの印刷開始後であっても、自己が担当する印刷データが存在しない場合には前記キャッピング手段をキャッピング状態とすることを特徴とする請求項６記載の記録システム。
【発明の詳細な説明】
【技術分野】
【０００１】
本発明は、記録媒体に対して処理剤を吐出する記録システムに関するものである。
【背景技術】
【０００２】
現在、カラー記録の容易性、高速性、静粛性等の利点から、プリンタ、複写機、ファクシミリ等の画像形成装置では記録媒体に対してインク滴を吐出して画像を形成するインクジェット記録方式を採用したものが広く普及している。
【０００３】
このようなインクジェット記録方式を採用した記録装置として、記録媒体にインクを吐出して記録を行うインク記録ヘッドと、インク定着を促進させると共に画像濃度向上や耐水性向上をはかるための処理液（定着促進液）を吐出する定着促進液ヘッドとを備えたフルライン型のインクジェット記録装置が提案されている（特許文献１参照）。
【０００４】
また、複数のカラーインクカートリッジとともに、印刷の光沢性および発色性を向上させるために無色透明のクリアインクのインクカートリッジを用い、印刷の品質を向上させるシリアル型のインクジェット記録装置（印刷装置）も提案されている（特許文献２参照）。このようなクリアインクを記録する領域に関する設定としては、クリアインクを用いない「オフ」、クリアインクを記録可能領域の前面に吐出する「オン（前面）」の他に、イメージデータの領域にクリアインクを重ねて吐出する「オン（自動）」の設定が行えるようになっている。
【特許文献１】特開２００４−１０６３５９号公報
【特許文献２】特開２００５−１１９２７９号公報
【発明の開示】
【発明が解決しようとする課題】
【０００５】
上記従来の技術によるクリアインクの部分的な領域への吐出では黒またはカラーのインクを吐出する箇所に重ねてクリアインクを吐出するものであるが、その吐出領域はインクの吐出位置によって固定的に定まるものであり、ユーザの希望する範囲にクリアインクを吐出するということができなかった。
【０００６】
また、インクジェット記録ヘッドは、通常、インク吐出ノズルの乾燥を防止するために記録ヘッドのインク吐出面をキャップで覆ういわゆるキャッピングが行われる。このようなキャッピングは、複数のヘッドに対して共通に行う構成と個別に行う構成とがありうる。個別に行う構成では各記録ヘッド単位に個別にキャッピングを行うことができる反面、装置コストが増加し、制御が複雑になるという欠点を有する。これに対して、複数のヘッドに共通にキャッピングを行う構成では、装置コストが抑えられ制御も簡単となるが、特許文献１に記載のように記録装置にインク記録ヘッドに定着促進液ヘッドを併設する場合、複数の記録装置を用いて１枚の記録媒体に記録を行う記録システムでは、定着促進液の吐出のためだけに全記録ヘッドのキャッピング状態を解除しなければならないという不具合が生じる。
【０００７】
本発明はこのような背景においてなされたものであり、その目的は、記録媒体に記録性を向上させるための処理剤を吐出する際に、より柔軟性の高い部分吐出を行うことができる記録システムを提供することにある。
【０００８】
本発明による他の目的は、複数の記録装置を用いて１枚の記録媒体に記録を行う記録システムにおいて、記録媒体に処理剤を吐出する場合にも記録データがない場合には記録ヘッドのキャッピング状態を維持することができる記録システムを提供することにある。
【課題を解決するための手段】
【０００９】
本発明による記録システムは、記録媒体上に処理剤を吐出する処理剤吐出手段と、記録媒体の記録可能領域内の記録像により決まる部分領域に対して前記処理剤を吐出して、前記処理剤が吐出される部分と吐出されない部分とを形成する制御手段と、前記部分領域の大きさをユーザが可変設定する可変設定手段とを備えたことを特徴とする。
【００１０】
例えば、前記可変設定手段は、記録されるドット群により定まる領域に対してその領域の周囲に、ユーザにより指定された量だけ当該領域を拡大した拡大領域を定めることができる。その領域の拡大は記録幅方向と記録長さ方向の両方に共通に適用する形態、および、記録幅方向と記録長さ方向に別個に適用する形態のいずれであってもよい。
【００１１】
前記制御手段は、記録可能領域の全体に前記処理剤を吐出する第１の動作モードと、前記記録可能領域の一部に前記処理剤を吐出する第２の動作モードと、前記記録可能領域に前記処理剤を吐出しない第３の動作モードとを有することができる。これにより、記録媒体の性質や記録物の用途に応じて、より適正な吐出態様をユーザが選択することができる。
【００１２】
本発明による記録システムは、複数の記録装置を用いて１枚の記録媒体に記録を行う記録システムであって、記録媒体の異なる幅部分の印刷を分担する複数の記録装置と、前記複数の記録装置に対して、記録媒体の搬送方向上流または下流に配置され、記録媒体上に処理剤を吐出する処理剤吐出用の１台の記録装置とを備えたことを特徴とする。
【００１３】
独立した複数の記録装置を組み合わせて用いることにより、記録媒体の所望の記録幅に対応した記録システムを構築できるとともに、処理剤吐出用の記録装置は他の記録装置と独立させることにより、画像記録用の記録装置と処理剤吐出用の記録装置を独立に制御することが可能となる。
【００１４】
例えば、前記複数の記録装置は、それぞれ独立したインクジェット記録ヘッドと、各インクジェット記録ヘッドのキャッピングを行うキャッピング手段とを備える場合、印刷データの印刷開始後であっても、各記録装置は、自己が担当する印刷データが存在しない場合には前記キャッピング手段をキャッピング状態とする制御を行うことができる。
【発明の効果】
【００１５】
本発明の記録システムによれば、記録媒体に処理剤を吐出する際に、ユーザの要望に応じて、画像の周辺にも処理剤を吐出する拡大範囲を可変とすることにより、柔軟性の高い部分吐出を行うことができる。
【００１６】
本発明の他の記録システムによれば、複数の記録装置を用いて１枚の記録媒体に記録を行う記録システムにおいて、処理剤を吐出する場合にも記録データがない場合には記録装置単位にキャッピング状態を維持することができる。これにより、予備吐出などの無駄なインク消費を抑えつつ、個々の記録装置の性能を維持することが可能となる。
【発明を実施するための最良の形態】
【００１７】
以下、本発明の好適な実施の形態について図面を参照しながら詳細に説明する。
【００１８】
図１は、本実施の形態における記録システムの概略構成図である。この記録システムは、カラーの画像記録を行う複数（ここでは６台）のカラー記録装置２０２〜２０７と、これらの記録装置に対して共用される、所定の処理剤を吐出する１台の記録装置２０１、および記録装置２０２〜２０７に対して記録媒体Ｐを搬送する媒体搬送装置（図１には図示せず）とを備える。この所定の処理剤の使用目的（効果）は、印刷の光沢性、発色性、耐水性、耐侯性、耐光性、定着性等の向上やインクのにじみ防止等（これらを総称して記録性という）を図ることにあり、本実施の形態では透明の液体である。さきがけ記録装置２０１とカラー記録装置２０２〜２０７には、それぞれ、個別の通信インタフェース２０１ａ〜２０７ａを介して、外部装置としてのパーソナルコンピュータ（以下、ＰＣという）１００が接続される。通信インターフェースとしては、ネットワークケーブル、ＵＳＢ（Universal Serial Bus）ケーブル、無線ＬＡＮ等を採用することができる。ＰＣ１００は、記録対象の画像データを分割して記録データとしてカラー記録装置２０２〜２０７に送るとともに、さきがけ記録装置２０１に処理剤の記録データを送る。
【００１９】
記録媒体Ｐは、媒体搬送装置によって図１中の矢印方向に搬送され、記録装置２０２〜２０７は、その記録媒体Ｐの幅方向に並ぶように配置され、記録媒体Ｐの幅方向における異なる領域（幅部分）の記録を分担して行うよう構成されている。すなわち、記録装置２０２〜２０７は、共同して一つの画像を形成する記録システムを構成している。記録媒体Ｐの幅方向に並べる際には、必ずしも一直線状に並べる必要はなく、隣接する記録ヘッドの端部の数ドットが相互に重なるように千鳥状に配置してもよい。端部のどのノズルまでを有効にするかは予め定めておくことにより、隣接する記録ヘッドの境界において画像に空白が生じないように制御することができる。
【００２０】
本実施の形態における記録装置２０２〜２０７の各々は、独立したエンジンであるプリンタユニット（「記録装置」）を構成し、記録媒体Ｐの幅方向にノズル列が延在するインクジェット記録ヘッドを備えており、ＰＣ１００から受信する画像データに基づいて、インクジェット記録ヘッドから記録材としてのインクを吐出する。この例では、フルカラーの画像を記録すべく、イエロー（Ｙ）、マゼンタ（Ｍ）、シアン（Ｃ）、およびブラック（Ｋ）のインクを吐出するための４つのインクジェット記録ヘッドを備えている。
【００２１】
このように複数の独立した記録装置を用いることにより、１個の記録装置の記録幅を単位記録幅（例えば４インチ）として、利用する記録装置の個数を変えて、種々の用紙幅に対応した記録システムを構成できる。また、個々の記録装置の故障や不具合が発生したときには、当該記録装置のみを交換することができる。そのため、システム全体が大きくなってもメンテナンスコストが比較的に軽減される。このような記録システムは業務用の用途に適している。
【００２２】
また、さきがけ記録装置２０１は１台で記録媒体Ｐの全幅に対応し、記録装置２０２〜２０７が記録を行う前に記録媒体Ｐに対して処理剤を吐出する。この例では、さきがけ記録装置２０１は、記録装置２０２〜２０７すべてに対応する処理剤を吐出するため、各記録装置内のインクジェット記録ヘッドと同一構成の６つのインクジェット記録ヘッドを備えている。これにより、さきがけ記録装置２０１においても、使用される記録装置の個数に対応して、幅方向のサイズを変更することができる。勿論、この代わりに、さきがけ記録装置２０１の記録ヘッドとして採りうる最大幅の１つの記録ヘッドを用いてもよい。
【００２３】
図２は図１に示したＰＣ１００の内部構成例を示している。ＰＣ１００は、本実施の形態では、オペレーティングシステムの制御下において、画像データを生成するアプリケーション（プログラム）や記録制御プログラム（プリンタドライバ）等を実行する。本例においては、オペレーティングシステムとして「Windowｓ（登録商標）」を用いる。具体的には、ＰＣ１００は、ＰＣ１００の各種制御を行う制御部を構成するＣＰＵ（Central Processing Unit）１０２と、このＣＰＵ１０２用の作業領域および一時記憶領域を提供するメモリであるＲＡＭ（Random Access Memory）１０３と、ＣＰＵ１０２が初期的に実行するブートプログラム等を格納する不揮発性メモリであるＲＯＭ（Read Only Memory）１０４とはシステムバス１０９を介して相互に接続されている。表示装置であるディスプレイ１１０はビデオインタフェース１０８を介してシステムバス１０９に接続されている。ポインティングデバイスの一種であるマウス１１１は、マウスインタフェース１０５を介してシステムバス１０９に接続されている。オペレーティングシステムや各種プログラムが格納されている大容量の外部記憶装置であるハードディスク装置１１３は、ハードディスクインタフェース１０７を介してシステムバス１０９に接続されている。また、システムバス１０９はプリンタインタフェース１０１を介して、上記記録装置２０１〜２０７と接続される。このプリンタインタフェース１０１は図１に示した通信インタフェース２０１ａ〜２０７ａに対応する。
【００２４】
ＰＣ１００において、印刷システムを制御する場合は、ハードディスク装置１１３に格納されているプログラムがＲＡＭ１０３にロードされてＣＰＵ１０２によって実行される。
【００２５】
図３に、図１の記録システム２００の一部である記録装置として記録装置２０２の構成例を示す。また、ＰＣ１００と媒体搬送装置２１８とを併せて示す。他の記録装置２０３〜２０７の構成は記録装置２０２と同じである。
【００２６】
ＣＰＵ２１０はこの記録装置２０２の全体の動作を制御する制御部を構成し、バスを介してメモリコントローラ２１２、インタフェースコントローラ２１３、プログラムＲＯＭ２１４、ワークＲＡＭ２１５、ＥＥＰＲＯＭ２１６、記録ヘッド制御回路２１９、Ｉ／Ｏポート２２１と接続されている。
【００２７】
メモリコントローラ２１２は、記録データを格納するメモリであるＶＲＡＭ２１１に接続され、ＣＰＵ２１０の制御下でＶＲＡＭ２１１への記録データの書き込みを行うとともに、同期化回路２１７からの出力信号に同期してＶＲＡＭ２１１からの読み出しを行う。同期化回路２１７は、媒体搬送装置２１８での記録媒体の搬送状態に同期してメモリコントローラ２１２への信号を生成する機能を有する。媒体搬送装置２１８は記録媒体の最大幅に対応したものを全記録装置で共有するか、あるいは、個々の記録装置の搬送装置を連動して動作するよう構成する。
【００２８】
インタフェースコントローラ２１３は、ＣＰＵ２１０の制御下で、ＰＣと通信インタフェース（図ではＵＳＢの例）を介してデータ通信を行う部位である。
【００２９】
プログラムＲＯＭ２１４は、この記録装置２０２の動作を実現するためのコンピュータプログラムを格納した不揮発性のメモリである。ワークＲＡＭ２１５は、ＣＰＵ２１０により利用されるワーク領域やデータの一時記憶領域を提供する読み書き可能なメモリである。ＥＥＰＲＰＭ２１６は、再書き込み可能な不揮発性のメモリであり、例えばユーザの設定データなどを不揮発的に記録するために利用される。
【００３０】
記録ヘッド制御回路２１９は、ＣＰＵ２１０の制御下で、メモリコントローラ２１２からの記録データを受信し、ＫＣＭＹの各色の記録ヘッド２２０へ対応する記録データを転送する。
【００３１】
Ｉ／Ｏポート２２１は、ＣＰＵ２１０の制御下で、モータ駆動部２２２に制御信号を与えて、キャッピングモータ２２３やポンプモータ２２４のような外部の出力装置を制御する。キャッピングモータ２２３は、不使用時に記録ヘッド２２０にキャップをしてインクの乾燥を防ぐためのキャッピング機構（キャッピング手段）２２５を駆動する動力源である。本実施の形態でのキャッピングは、各記録装置の全記録ヘッド単位に行われるものを想定している。ポンプモータ２２４は記録ヘッド中のインクに圧力を掛けて記録ヘッドの回復動作等を行うポンプ２２６を駆動するための動力源である。
【００３２】
図４により、本実施の形態における、さきがけ記録装置２０１での吐出方法であるさきがけ方式を説明する。ここでは、図４（ａ）（ｂ）（ｃ）に示すような、ユーザが選択可能な３つの動作モードを示す。
【００３３】
図４（ａ）は記録媒体P上にカラー記録装置２０２〜２０７で形成された図形３１０、３１２とその周辺に対して、さきがけ記録装置２０１にて図形３１１、３１３を形成する動作モード（部分さきがけ方式）を示している。すなわち、図形３１１、３１３はそれぞれ図形３１０、３１２を包含する。元の図形に対してその周辺にどの程度はみ出すかは、後述するように、ユーザが設定可能である。なお、処理剤の吐出された部分は便宜上灰色で図示しているが、実際には透明で目に見えないものである。
【００３４】
図４（ｂ）は、カラー記録装置２０２〜２０７で形成される図形の如何に関わらず、記録可能領域全体３２３に対してさきがけ記録装置２０１による処理剤の吐出を行う動作モード（全吐方式）を示している。
【００３５】
図４（ｃ）は、カラー記録装置２０２〜２０７で形成される図形の如何に関わらず、さきがけ記録装置２０１による処理剤の吐出を行わない動作モード（空ジョブ方式）を示している。
【００３６】
次に図５を用いて、図４（ａ）の部分さきがけ方式が選択された場合の処理剤記録装置の記録データ生成方法を説明する。
【００３７】
記録媒体Ｐ上に、レッドの図形データ５０５と、ブラックの図形データ５１４を記録する場合を例にする。インクジェット記録装置の場合、入力データはＲＧＢのデータであるが、記録装置の記録動作のためにＲＧＢのデータをＣＭＹＫに変換し、誤差拡散処理等を用いて各色２値のデータにしなければならない。本実施の形態では、シアン、マゼンタ、イエロー、ブラックの４色のインクを使用して記録を行うので、データはシアン用データ５０１、マゼンタ用データ５０２、イエロー用データ５０３、ブラック用データ５０４それぞれ２値のデータに分解する。各色のデータを２値化した後に、処理剤用のデータを生成する。処理剤は、シアン、マゼンタ、イエロー、ブラックのいずれかの色が吐出を行うノズル部に対応して吐出を行わなければならないため、各色２値のデータのＯＲ（論理和）を取り、シアン、マゼンタ、イエロー、ブラックの少なくとも１つの記録を行う箇所のデータ５２０，５２２を生成する。処理剤は無色であり、レジストレーション調整を行うことは難しいため、拡大データ５０７として示すように、各色２値のデータをＯＲした後に実際の記録領域よりも大きい領域５５１、５２３について吐出を行うように、吐出部分（記録データ）を太らせる。
【００３８】
図６に、本実施の形態におけるさきがけ記録装置２０１の吐出方式の選択画面の一例を示す。この画面はＰＣ１００において、ユーザによる所定の操作（例えばメニューからの選択）により開かれる。部分さきがけ６０１が選択された場合、図４（ａ）に示した動作モードで記録を行う記録データが生成される。動作モードの選択肢を提供するラジオボタン６０１、６０２、６０３が提示され、ユーザがいずれかを選択する。「部分さきがけ」が選択された場合には、「拡大ドット数」６０４をユーザが指定できる。処理剤を元のドットに対して何ドット拡大して吐出を行うかの設定を行うことができる。但し、入力可能はドット数の範囲を制限してもよい。また、プルダウンメニュー等によりユーザに対して選択可能なドット数提示して選択させるようにしてもよい。本実施の形態では、処理剤の拡大範囲をドット数で設定する例を示すが、ｍｍやｉｎｃｈ等の他の単位での設定でもよい。
【００３９】
「全吐」のラジオボタン６０２が選択された場合、図４（ｂ）に示した動作モードでの記録を行うための記録データが生成される。また、「使用しない」６０３が選択された場合は、図４（ｃ）に示した動作モードでの記録データの生成が行われる。
【００４０】
次に、図７を用いて部分さきがけにおける吐出部分（記録データ）を太らせる方法を説明する。この図は、シアン、マゼンタ、イエロー、ブラックの２値データをＯＲした結果の複数ライン分のビットマップデータを示している。この例では、説明の簡略化のため、１ドットの記録データ７０１が生成された場合を考える。図６の画面で指定された拡大ドット数が３ドットであった場合、上方向に３ドット（７０２）、下方向に３ドット（７０５）、右方向に３ドット（７０３）、左方向に３ドット（７０４）分の記録データを広げるため、生成される処理剤の吐出領域は記録領域７０８のようになる。記録データのすべてのドットについてこのような処理が行われる。
【００４１】
図８に、ＰＣ１００において実行される記録データを生成する処理のフローを示す。この処理は、ＰＣ１００のＣＰＵ１０２がＲＯＭ１０４またはハードディスク装置１１３内のプログラムを読み出して実行することにより実現される。
【００４２】
ＰＣ１００は、ユーザの指示に応じて記録データの生成が開始されると、記録対象のＲＧＢのデータを取得し（Ｓ８０１）、ＲＧＢからＣＭＹＫにデータを変換する（Ｓ８０２）。次に、ＣＭＹＫのデータを２値のデータに変換（Ｓ８０３）する。この２値データは、カラー記録装置２０２〜２０７が記録するデータである。次に、「部分さきがけ」が指定されている場合には（Ｓ８０４，Ｙｅｓ）、さきがけ記録装置２０１で記録するデータを生成するために、各色のデータをＯＲすることにより、すべてのカラー記録部の吐出部分を抽出する（Ｓ８０５）。次に、さきがけデータを指定されたドット数だけ拡大する拡大処理を行う（Ｓ８０６）。
【００４３】
本実施の形態では、拡大するドット数を、記録幅方向と記録長さ方向の両方に共通に適用する例を示したが、記録幅方向と記録長さ方向について別個に拡大するドット数を指定して適用するようにしてもよい。
【００４４】
ここで、図１に示したようなさきがけ記録装置２０１をカラー記録装置２０２〜２０７とは別個の単一の独立した装置として提供することの利点について説明する。
【００４５】
前述したように、各カラー記録装置のインクジェット記録ヘッドはキャッピングを行うことにより、インク吐出ノズルを大気に曝露することによるインクの乾燥を防止することができる。カラー記録装置単位に記録ヘッドのキャッピングを独立に行えるようにすることにより、記録システム２００の記録動作が開始した後であっても、記録対象の画像によっては担当する記録データが全く存在しないカラー記録装置も存在しうる。このようなカラー記録装置については他のカラー記録装置の記録動作中もキャッピング状態を維持することにより、無駄なインクの乾燥を防止することができる。しかし、さきがけ記録ヘッドを各カラー記録装置内に設置する構成では、「全吐」のさきがけ記録を行う場合には画像記録を担当しない記録装置においてもキャッピング状態を解除する必要が生じる。また、部分さきがけの場合であっても、拡大範囲部分のみが自記録装置の分担部分に及ぶ場合にはキャッピング状態を解除する必要が生じる。図１に示した記録システムの構成では、さきがけ記録ヘッドをさきがけ記録装置としてカラー記録装置と別個の記録装置としたので、このような不具合が解消される。
【００４６】
また、さきがけ記録では処理剤を吐出した後に重ねた画像記録のためのインクの吐出が行われる。この場合、処理剤がなるべく乾燥した後にインクの吐出を行うことが好ましい。図１の構成では、さきがけ記録ヘッドをさきがけ記録装置としてカラー記録装置と別個の記録装置として、カラー記録装置の上流に離して配置することができるので、各カラー記録装置にさきがけ記録ヘッドを併設する構成にくらべて、処理剤の乾燥時間を余分に確保することができるという利点がある。
【００４７】
以上、本発明の好適な実施の形態について説明したが、上記で言及した以外にも種々の変形、変更を行うことが可能である。例えば、上記の実施の形態ではカラーの記録を行う前に加工を施すさきがけ記録装置について説明したが、カラー記録装置の下流に配置されてカラー記録後に加工を施す、いわゆるあとがけ記録装置でも同様の処理を行うことが可能である。また、１台の記録装置で用いる記録ヘッドの個数は４個としたが、これより少なくても多くてもよい。上述した部分さきがけの特徴については複数の記録装置は必須の要件ではなく、単一の記録装置であってもよい。
【図面の簡単な説明】
【００４８】
【図１】本発明の実施の形態における記録システムの概略構成図である。
【図２】図１に示したＰＣの概略の構成例を示すブロック図である。
【図３】図１に示した記録システムの一部である記録装置の構成例を示すブロック図である。
【図４】本発明の実施の形態におけるさきがけ記録装置での異なる吐出方法（ａ）（ｂ）（ｃ）の説明図である。
【図５】図４（ａ）の部分さきがけ方式が選択された場合の処理剤記録装置の記録データ生成方法の説明図である。
【図６】本発明の実施の形態におけるさきがけ記録装置の吐出方式の選択画面の一例を示す図である。
【図７】本発明の実施の形態の部分さきがけにおける記録データを太らせる方法の説明図である。
【図８】本発明の実施の形態のＰＣにおいて実行される記録データを生成する処理のフローを示すフローチャートである。
【符号の説明】
【００４９】
１０１…プリンタインタフェース
１０５…マウスインタフェース
１０６…キーボードインタフェース
１０７…ハードディスクインタフェース
１０８…ビデオインタフェース
１０９…システムバス
１１０…ディスプレイ
１１１…マウス
１１２…キーボード
１１３…ハードディスク装置
２００…記録システム
２０１…さきがけ記録装置
２０２〜２０７…カラー記録装置
２０１ａ〜２０７ａ…通信インタフェース
２０２〜２０７…カラー記録装置
２１１、２１３…図形
２１２…メモリコントローラ
２１３…インタフェースコントローラ
２１４…プログラムＲＯＭ
２１５…ワークＲＡＭ
２１７…同期化回路
２１８…媒体搬送装置
２１９…記録ヘッド制御回路
２２０…記録ヘッド
２２１…Ｉ／Ｏポート
２２２…モータ駆動部
２２３…キャッピングモータ
２２４…ポンプモータ
２２５…キャッピング機構
２２６…ポンプ
３１０、３１２…図形
５０７…拡大データ
５２０，５２２…データ
５２３  実際の記録領域よりも大きい領域
５５１…実際の記録領域よりも大きい領域
６０１，６０２，６０３…ラジオボタン
７０１…記録データ
７０８…記録領域
Ｐ…記録媒体
【図１】
2007125843.tif 000003
【図２】
2007125843.tif 000004
【図３】
2007125843.tif 000005
【図４】
2007125843.tif 000006
【図５】
2007125843.tif 000007
【図６】
2007125843.tif 000008
【図７】
2007125843.tif 000009
【図８】
2007125843.tif 000010